(57)【要約】      （修正有）【課題】試験者が各住戸の戸外にまで行かずに、管理室から、各住戸の住宅情報盤をアクセスし、それに接続された火災感知器を個別に指定して、動作確認試験が行える試験機能を備えた火災報知システムを提案する。【解決手段】制御信号、通話信号の伝送ラインＬ１を導出した警報監視統合盤１と、住戸内に設置した試験通信機能を備えた火災感知器３に感知器回線Ｌ２を通じて接続され、かつ伝送ラインＬ１上に接続された住宅情報盤２とで構成され、警報監視統合盤１は、アドレスを指定した試験信号を送出する火災感知器遠隔試験回路１７を備え、住宅情報盤２は、警報監視統合盤１から感知器回線接続信号を受信したときには、回線接続を切換え、住宅情報盤２に感知器回線接続信号を送信して、火災感知器遠隔試験回路１７より感知器回線Ｌ２に駆動電源を供給し、アドレスを指定した試験信号を火災感知器３に送出して、作動試験を行う。【選択図】図１
2006302190.tif 000002
【特許請求の範囲】
【請求項１】
少なくとも、制御信号、通話信号を伝送するための伝送ラインを導出した警報監視統合盤と、住戸内に設置した試験通信機能を備えた火災感知器に感知器回線を通じて接続され、かつ上記伝送ライン上に接続された住宅情報盤とで構成され、
上記警報監視統合盤は、
上記伝送ラインより、アドレスを指定した試験信号を少なくとも送出する火災感知器遠隔試験回路を備え、
上記住宅情報盤は、
上記伝送ラインを通じて、上記警報監視統合盤から感知器回線接続信号を受信したときには、上記伝送ラインを上記感知器回線に接続する回線接続切換手段を備えており、
上記警報監視統合盤は、上記住宅情報盤に感知器回線接続信号を送信して、上記伝送ラインに、上記試験通信機能を備えた火災感知器が接続された後に、上記火災感知器遠隔試験回路より上記感知器回線に駆動電源を供給した状態で、アドレスを指定した試験信号を上記火災感知器に送出して、作動試験を行うようにしたことを特徴とする試験機能を備えた火災報知システム。
【請求項２】
請求項１において、
上記警報監視統合盤は、システム内の住宅情報盤に関する情報を表示する表示部を有するとともに、
上記火災感知器遠隔試験回路は、試験スイッチと、この試験スイッチを操作する度に、システム内の住宅情報盤を呼び出して、試験信号を上記伝送ラインに送出する試験信号発生回路部とを備えた構成とされている試験機能を備えた火災報知システム。
【請求項３】
請求項１において、
上記火災感知器遠隔試験回路は、試験スイッチと、この試験スイッチを操作することによって、システム内の住宅情報盤を順次自動的に呼び出して、試験信号を上記伝送ラインに送出する試験信号発生回路部とを備えた構成とされている試験機能を備えた火災報知システム。
【発明の詳細な説明】
【技術分野】
【０００１】
本発明は、少なくとも、制御信号、通話信号を伝送するための伝送ラインを導出した警報監視統合盤と、住戸内に設置された火災感知器に感知器回線を通じて接続され、かつ伝送ライン上に接続された住宅情報盤とで構成される試験機能を備えた火災報知システムに関する。
【背景技術】
【０００２】
この種の試験機能を備えた火災報知システムは、集合住宅などで使用されている。
【０００３】
下記特許文献１は、この種のシステムを開示しており、管理人室などに設置される警報監視統合盤１００から伝送ラインＬ１を導出させ、伝送ラインＬ１上には、各住戸の住宅情報盤２００を接続し、かつ、各住戸の住宅情報盤２００には感知器回線Ｌ２を導出させ火災感知器３００を接続している（図７参照）。ここに、警報監視統合盤１００は、従来から使用されている火災受信機と警報監視統合盤の機能を兼用させたものであり、その基本的な概念は下記特許文献２において提案されている。
【０００４】
また、このシステムでは、各住戸の住宅情報盤２００に対して順次アドレスを指定した多重信号によって、住宅情報盤２００を呼出し、各住戸の住宅情報盤２００との間で相互呼出によるインターホン通話が可能であり、更に、図示しないロビーインターホンと各住戸の住宅情報盤２００との間の呼出通話、図示しない電気錠施解錠の制御も可能になっている。
【０００５】
また、監視回線Ｌ２に接続された火災感知器３００が発報し、作動したときには、その住宅情報盤２００は内蔵された警報回路を駆動して警報音を出力し、これとともに住宅情報盤２００は、自己に割り付けたアドレスを含む火災信号を割り込みで警報監視統合盤１００に出力する。
これに対して、警報監視統合盤１００は、この火災信号を受信すると、内蔵した警報回路を作動して警報音を出力する他、図示しない地区音響装置を作動させ、近隣住居に火災発生を通知する。
【０００６】
また、この種のシステムでは、各住戸の住宅情報盤２００には、玄関先に試験中継器４００を設けて遠隔試験器５００を接続して、火災感知器３００の遠隔試験ができるようになっている。
【０００７】
したがって、遠隔試験器５００を操作して、試験中継器４００を通じて、火災感知器３００のアドレスを指定した試験信号を火災感知器３００に出力し、これに基づいて接点が閉じられた火災感知器３００からそのアドレスを遠隔試験器５００が受けると、遠隔試験器５００は感知器回線Ｌ２の電圧変化を検出し、その火災感知器５００の動作が正常であることを判定する。
【特許文献１】特開平９−９１５７８号公報
【特許文献２】特許３２７３３０６号公報
【発明の開示】
【発明が解決しようとする課題】
【０００８】
ところで、このようなシステムにおいては、各住戸の外部から火災感知器の動作確認試験が行えるが、そのためには、各住戸の玄関先まで行く必要があり、更に、改善が望まれている。
【０００９】
本発明はこのような問題を解決するために提案されるものであって、試験者が各住戸の戸外にまで行かなくても、警報監視統合盤の設置された管理室などから、各住戸の火災感知器の動作確認試験を遠隔操作によって行えるようにした試験機能を備えた火災報知システムを提案することを目的とする。
【課題を解決するための手段】
【００１０】
上記目的を達成するため、請求項１では、少なくとも、制御信号、通話信号を伝送するための伝送ラインを導出した警報監視統合盤と、住戸内に設置した試験通信機能を備えた火災感知器に感知器回線を通じて接続され、かつ上記伝送ライン上に接続された住宅情報盤とで構成され、上記警報監視統合盤は、上記伝送ラインより、アドレスを指定した試験信号を少なくとも送出する火災感知器遠隔試験回路を備え、上記住宅情報盤は、上記伝送ラインを通じて、上記警報監視統合盤から感知器回線接続信号を受信したときには、上記伝送ラインを上記感知器回線に接続する回線接続切換手段を備えており、上記警報監視統合盤は、上記住宅情報盤に感知器回線接続信号を送信して、上記伝送ラインに、上記試験通信機能を備えた火災感知器が接続された後に、上記火災感知器遠隔試験回路より上記感知器回線に駆動電源を供給した状態で、アドレスを指定した試験信号を上記火災感知器に送出して、作動試験を行うようにしたことを特徴とする。
【００１１】
請求項２では、上記警報監視統合盤は、システム内の住宅情報盤に関する情報を表示する表示部を有するとともに、上記火災感知器遠隔試験回路は、試験スイッチと、この試験スイッチを操作する度に、システム内の住宅情報盤を呼び出して、試験信号を上記伝送ラインに送出する試験信号発生回路部とを備えた構成とされている。
【００１２】
請求項３では、上記火災感知器遠隔試験回路は、試験スイッチと、この試験スイッチを操作することによって、システム内の住宅情報盤を順次自動的に呼び出して、試験信号を上記伝送ラインに送出する試験信号発生回路部とを備えた構成とされている。
【発明の効果】
【００１３】
本発明によれば、以下の効果を奏する。
【００１４】
請求項１によれば、警報監視統合盤から感知器回線接続信号を住宅情報盤に送出して、その住戸の火災感知器との接続をなし、ついで、その火災感知器に試験信号を送出して動作確認試験ができるため、警報監視統合盤の設置された管理人室などから各住戸の火災感知器の動作確認試験を行える。
【００１５】
請求項２によれば、試験スイッチを操作する毎に、システム内の住宅情報盤を呼び出し、その住戸の火災感知器の動作確認状態を表示部に表示させることができるため、その表示を見ながら迅速な動作確認試験ができる。
【００１６】
請求項３によれば、試験スイッチを操作すれば、システム内の住宅情報盤を順次呼び出して、各々の住戸の火災感知器の動作確認試験ができるため、時分割で一斉に試験することができ、迅速な動作確認試験ができる。
【発明を実施するための最良の形態】
【００１７】
以下に、本発明の実施の形態について説明する。
【実施例１】
【００１８】
図４は、本発明の試験機能を備えた火災報知システムの外観構成の一例を示す図である。
【００１９】
この火災報知システムでは、警報監視統合盤１より伝送ラインＬ１を導出させ、各住戸の住宅情報盤２を接続しており、各住宅情報盤２には、感知器回線Ｌ２を通じて火災感知器３を接続している。
【００２０】
ここに、伝送ラインＬ１は、後述する信号Ｌ１ａと通話線Ｌ２ｂとを含んで構成されているが、２線式の多重伝送線で構成してもよい。
２線式の多重伝送線を使用する場合、呼出信号、返信信号、試験信号、動作確認信号の他、電源、音声信号が重畳され、伝送されるので、配線設備を簡易化できる。
【００２１】
図１は、警報監視統合盤１の内部構成の一例を示すブロック図である。
【００２２】
この警報監視統合盤１は、通話切換回路１１Ａ、ハンドセットＨを有する通話回路１１と、多重伝送回路１２と、スピーカＳＰを有する音声出力部１３と、操作部１４と、表示部１５と、記憶部１６と、試験信号発生回路部１７Ａを有する住宅情報盤遠隔試験回路１７とを備えている。
なお、通話回路１１はハンドセットのない、ハンズフリー対応のものであってもよい。
【００２３】
信号処理部１０は、各住宅情報盤２との間でアドレスを含む制御信号を送受して住宅情報盤２の状態を監視する他、各部の制御をなす機能を備えている。
【００２４】
通話回路１１からは、通話信号の送受をする通話線Ｌ１ｂが導出されており、通話切換回路１１Ａの制御により住宅情報盤２との通話経路を形成して、インターホン通話がなされる構成になっている。
【００２５】
多重伝送回路１２からは、信号線Ｌ１ａが導出されており、信号線Ｌ１ａを通じて、呼出信号、返信信号、感知器回線接続信号、感知器回線遮断信号、試験信号、動作確認信号の送受を多重伝送方式で行う。
【００２６】
また、信号線Ｌ１ａを通じては、後述する処理において、感知器回路駆動電源１７Ｃからの駆動電源が送出される。
【００２７】
操作部１４はモード選択スイッチ１９を備えており、通常モード、試験モードの選択が指定できる。
【００２８】
火災感知器遠隔試験回路１７は、試験信号発生回路部１７Ａ、電流変化検出回路部１７Ｂ、感知器回路駆動電源１７Ｃ、試験スイッチ１８を備える。
【００２９】
試験信号発生回路部１７Ａは、試験スイッチ１８の操作により、住宅情報盤２のアドレスを指定した感知器回線接続信号、感知器回線遮断信号を送出し、更に、各住戸の火災感知器３のアドレスを指定した試験信号を送出する。
【００３０】
電流変化検出回路部１７Ｂは、感知器回線Ｌ２の短絡による信号線Ｌ１ａの電流変化を検出し、その感知器回線Ｌ２の正常、異常を検出する。
【００３１】
感知器回線駆動電源部１７Ｃは、感知器回線接続信号を受信した住宅情報盤２を通じて、その感知器回線Ｌ２に駆動電源を供給する。
【００３２】
図２は、この種の火災報知システムで使用される住宅情報盤２の内部構成の一例を示すブロック図である。
【００３３】
住宅情報盤２からは感知器回線Ｌ２が導出されており、個々のアドレスの付加された火災感知器３が接続される。６は終端抵抗器を示す。
【００３４】
住宅情報盤２は、制御回路２０と、通話切換回路２１Ａを含む通話回路２１と、警報回路２２と、マイク２３と、スピーカＳＰと、この住宅情報盤２のアドレスなどを記憶するメモリ２４と、回線接続切換手段２５とを備えている。なお、警報監視統合盤１と同様に、通話回路２５はハンドセットＨのない、ハンズフリー対応のものであってもよい。
【００３５】
制御回路２０には、信号線Ｌ１ａ、通話線Ｌ１ｂが接続されており、信号線Ｌ１ａを通じて、呼出信号、返信信号、感知器回線接続信号、感知器回線遮断信号、試験信号、動作確認信号の送受を多重伝送方式で行う。
【００３６】
警報回路２２は、火災感知器３や、ガス漏れセンサー、防犯スイッチなどの不図示のセキュリティーセンサの発報時に警報を出力する。なお、警報には、警報音や警報メッセージが少なくとも含まれる。
【００３７】
回線接続切換手段２５は、感知器回線Ｌ２の接続を、信号線Ｌ１ａ側か制御回路２０側かに切り換える接点２５ａ，２５ａを有しており、後述する通常モードでは接点ｂ閉じ、後述する試験モードでは接点ａ閉じとなる。
接点２５ａをｂ閉じにした状態では、制御回路２０側に感知器回線Ｌ２が接続され、感知器回線Ｌ２の短絡を検出する。
【００３８】
一方、接点ａ閉じにした状態では、信号線Ｌ１ａ側に感知器回線Ｌ２が接続され、信号線Ｌ１ａを通じて、警報監視統合盤１から火災感知器３に駆動電源が送られ、試験信号が送出される。
【００３９】
図３は、この火災報知システムで使用される火災感知器３の内部構成の一例を示す図である。
【００４０】
この火災感知器３は、通信試験機能を備えた構成となっており、システム内では重複しないアドレスが割り付けられている。
火災感知器３のそれぞれは、制御処理部３０と、接点３１ａを有し、火災要因の検出時または試験信号受信時に、接点３１ａを閉じて感知器回線Ｌ２を短絡させることで火災信号を発生させる火災報知部３１と、感知器回線Ｌ２を通じて、警報監視統合盤１から送出される試験信号を受信する信号伝送部３２とを備えている。
【００４１】
警報監視統合盤１は、信号線Ｌ１ａを通じて、各住宅情報盤２との間で制御信号を送受して、システムに必要な通話、監視制御がなされている。
【００４２】
監視制御では、火災感知器３が発報すると、感知器回線Ｌ２を短絡させるので、この状態を住宅情報盤２で検知して警報回路２２を作動させて警報出力するとともに、発報した火災感知器３のアドレスを含んだ火災信号を割り込みにより警報監視統合盤１に送出する。一方の警報監視統合盤１はこれを受けて、その表示部１５に予め準備された警報音や警報メッセージを出力したり、火災のあった住居を表示する。
【００４３】
また、このような本発明システムでは、警報監視統合盤１の操作により、住宅情報盤２とその住宅情報盤２に接続される火災感知器３のアドレスを指定して、火災感知器３の遠隔試験を行うことができる（試験モード）。
【００４４】
これについて、図５のフローチャートとともに説明する。
【００４５】
警報監視統合盤１では、モード選択スイッチ１９を操作して試験モードを選択する（１００）。
【００４６】
この試験モードを選択した後、試験を行いたい住戸の住宅情報盤２を指定して、試験スイッチ１８を操作すると、警報監視統合盤１の信号処理部１０は、住宅情報盤２のアドレスを含む呼出信号を送出するが、呼び出しても応答がない場合には、再度の呼出しを行い、それが予め設定した所定回数行われた後も、応答がない場合には、通常モードに戻る（１０１，１０２）。
【００４７】
呼び出した住宅情報盤２から所定時間内に応答信号を受信すると（１０３）、その住宅情報盤２に感知器回線接続信号を送出する（１０５）。一方、住宅情報盤２を呼び出してから所定時間内に応答信号がなかった場合には、その住宅情報盤２をスキップして、次の住宅情報盤を呼出す（１０４）。
【００４８】
その後、感知器回線接続信号を受信した住宅情報盤２は、回線接続切換手段２５を駆動させて、接点２５ａをａ閉じにし、信号線Ｌ１ａを通じて、警報監視統合盤１との接続を行ない、信号伝送路を形成する（１０５）。
【００４９】
ついで、警報監視統合盤１からは、火災感知器２の駆動電源の供給を開始するとともに、火災感知器３のアドレスを指定した試験信号を送出するので、対応した火災感知器３の信号伝送部３２がこれを受信すると、制御処理部３０は接点３１ａを一定時間の間閉じて感知器回線Ｌ２を短絡させ、感知器回線Ｌ２に流れる電流が変化する。
【００５０】
この電流変化は、動作確認信号として、警報監視統合盤１の電流変化検出回路１７Ｂで検出され（１０７）、これに基づくメッセージを表示部１５に表示される（図６参照）。
【００５１】
図６は、遠隔試験の結果情報の表示態様の一例を示す図である。
【００５２】
警報監視統合盤１では、火災感知器３のアドレスに対して、住戸階、住戸番号などを対応させ記憶させたテーブルを備えているので、火災感知器３から動作確認信号を受信したときには、そのアドレスに基づき、図示するように、住戸階、住戸番号、感知器アドレス、正常の旨を表示する。
【００５３】
正常、異常の判定は、所定時間内に動作確認信号が受信されてくるかで確認できる（１０７〜１１０）。
【００５４】
ついで、動作試験が終了すると、各々の住宅情報盤２には、警報監視統合盤１からは感知器回線遮断信号が送出され、これを受けた住宅情報盤２は、回線接続切換手段２５を作動させて、接点２５Ａをｂ閉じにし、感知器回線Ｌ２と警報監視統合盤１との接続を遮断する（１１１）。
【００５５】
その後、警報監視統合盤１は火災感知器３に対する電源供給を停止する。
【００５６】
図５の遠隔試験は、警報監視統合盤１に準備する制御ソフトによって種々の態様で実施できる。
【００５７】
試験モードを選択した後、試験スイッチ１８を押せば、試験対象として予め準備された住宅情報盤を順次、呼出し、応答のあったものに対して試験信号を自動的に送信して、動作確認信号を順次確認することができる（請求項２）。この場合、応答のなかったものは、所定の回数だけ、再呼出を行ない、所定回数の再呼出を行なっても応答がなかったものは、スキップするような態様も可能である。これにより、試験スイッチ１８を一度操作するだけで、全住戸の火災感知器の動作試験が可能となり、試験者の負担が軽減する。
【００５８】
また、この試験スイッチを操作する度に、システム内の住宅情報盤を呼出して試験信号を送出し、動作確認をした後に、次の住宅情報盤を呼出し、試験信号を送出して、動作確認するようにしてもよい（請求項３）。
【図面の簡単な説明】
【００５９】
【図１】本発明システムで使用される警報監視統合盤の基本構成の一例を示すブロック図
【図２】本発明システムで使用される住宅情報盤の基本構成の一例を示すブロック図
【図３】本発明で使用される火災感知器の基本構成の一例を示すブロック図
【図４】本発明システムの基本構成の一例を示す図
【図５】本発明システムの試験モードについて示すフローチャート
【図６】遠隔試験の結果情報の表示態様の一例を示す図
【図７】従来の試験機能を備えた火災報知システムの構成を示す図
【符号の説明】
【００６０】
１  警報監視統合盤
２  住宅情報盤
３  火災感知器
１７  火災感知器遠隔試験回路
１７Ａ  試験信号発生回路部
１７Ｂ  電流変化検出回路部
１７Ｃ  感知器回線駆動電源
１８  試験スイッチ
２０  制御回路
２１  回線接続切換手段
Ｌ１  伝送ライン
Ｌ２  感知器回線
【図１】
2006302190.tif 000003
【図２】
2006302190.tif 000004
【図３】
2006302190.tif 000005
【図４】
2006302190.tif 000006
【図５】
2006302190.tif 000007
【図６】
2006302190.tif 000008
【図７】
2006302190.tif 000009